(57)【要約】【課題】  有版印刷（孔版印刷）の特性を十分に活かすことができるとともに、画像品質の向上を図れ、調整が容易で低コスト化も実現できる複合型画像形成装置を提供する。【解決手段】  孔版印刷部４からインクジェット印刷部５へ印刷速度情報を送信し、インクジェット印刷部５ではこれに対応して、予め実験により得られた複数の印刷速度条件に応じた書き込み速度パラメータテーブルから、受信した印刷条件に対応した書き込み速度を選択して設定し、インクジェット記録ヘッド２６を駆動する。【選択図】      図１
2006076021.tif 000002
【特許請求の範囲】
【請求項１】
版を用いて印刷を行う有版印刷部と、版を用いずに印刷を行う無版印刷部とを備え、１枚の記録媒体に対して有版印刷画像と無版印刷画像を連続的に形成する複合型画像形成装置において、
上記有版印刷部の印刷条件に応じて、上記無版印刷部の印刷条件を変更することを特徴とする複合型画像形成装置。
【請求項２】
請求項１記載の複合型画像形成装置において、
上記有版印刷部が少なくとも２種類以上の印刷速度を有し、上記有版印刷部の印刷速度に応じて、上記無版印刷部の書き込み速度を変更することを特徴とする複合型画像形成装置。
【請求項３】
請求項２記載の複合型画像形成装置において、
上記有版印刷部から上記無版印刷部へ印刷速度条件が送信され、受信した印刷速度条件に基づいて上記無版印刷部の書き込み条件を変更する制御手段を有し、該制御手段は、予め実験により得られた複数の印刷速度条件に応じた書き込み速度パラメータテーブルから、受信した印刷条件に対応した書き込み速度を選択して設定することを特徴とする複合型画像形成装置。
【請求項４】
請求項１乃至３のうちの何れかに記載の複合型画像形成装置において、
上記有版印刷部が孔版印刷方式の構成を有していることを特徴とする複合型画像形成装置。
【請求項５】
請求項４記載の複合型画像形成装置において、
上記無版印刷部がインクジェット印字方式の構成を有していることを特徴とする複合型画像形成装置。
【請求項６】
請求項５記載の複合型画像形成装置において、
上記無版印刷部のインク滴吐出速度が、上記有版印刷部で搬送される記録媒体の搬送速度以上であることを特徴とする複合型画像形成装置。
【請求項７】
請求項５記載の複合型画像形成装置において、
上記有版印刷部から送信される雰囲気温度情報に応じて、上記無版印刷部にて吐出するインクの液滴量を制御することを特徴とする複合型画像形成装置。
【請求項８】
請求項５記載の複合型画像形成装置において、
上記有版印刷部から送信されるインク温度情報に応じて、上記無版印刷部にて吐出するインクの液滴量を制御することを特徴とする複合型画像形成装置。
【請求項９】
請求項５記載の複合型画像形成装置において、
上記有版印刷部から送信される記録媒体の種類情報に応じて、上記無版印刷部にて吐出するインクの液滴量を制御することを特徴とする複合型画像形成装置。
【請求項１０】
請求項５記載の複合型画像形成装置において、
上記有版印刷部から送信される印刷モードに応じて、上記無版印刷部にて吐出するインクの液滴量を制御することを特徴とする複合型画像形成装置。
【請求項１１】
請求項５記載の複合型画像形成装置において、
上記有版印刷部から送信される濃度情報に応じて、上記無版印刷部にて吐出するインクの液滴量を制御することを特徴とする複合型画像形成装置。
【請求項１２】
請求項５記載の複合型画像形成装置において、
上記有版印刷部から排出される記録媒体上に形成された画像の濃度を検出する画像濃度検出手段を有し、該画像濃度検出手段からの濃度情報に応じて、上記無版印刷部にて吐出するインクの液滴量を制御することを特徴とする複合型画像形成装置。
【請求項１３】
請求項５記載の複合型画像形成装置において、
上記有版印刷部から排出される記録媒体上に形成された画像の滲み具合を検出する画像認識手段を有し、該画像認識手段からの検出情報に応じて、上記無版印刷部にて吐出するインクの液滴量を予め実験により得られた条件により選択的に設定することを特徴とする複合型画像形成装置。
【請求項１４】
請求項５記載の複合型画像形成装置において、
上記有版印刷部の解像度が上記無版印刷部の解像度よりも高い場合、上記無版印刷部の記録媒体の搬送方向の解像度が上記有版印刷部の解像度と略同一となるように上記無版印刷部の書き込み速度を速めることを特徴とする複合型画像形成装置。
【請求項１５】
請求項４乃至１４のうちの何れかに記載の複合型画像形成装置において、
上記無版印刷部が、印刷ドラムの位置を検出する手段を備え検出情報により特定の回転位置で印刷速度を変更する構成を有し、上記無版印刷部の書き込み速度を上記印刷ドラムの特定の回転位置で変更することを特徴とする複合型画像形成装置。
【発明の詳細な説明】
【技術分野】
【０００１】
本発明は、印刷方式の異なる複数の印刷部を備えた複合型画像形成装置（以下、「ハイブリッド印刷装置」ともいう）に関する。
【背景技術】
【０００２】
印刷画像全体の中の一部分をカラー画像にしたり、一部分において１枚毎に異なる画像（カラー画像を含む）を印刷したいという要望があり、これに応えるべく、いわゆるハイブリッド印刷装置が開発、実用化されている。
ハイブリッド印刷装置では、例えば、ハガキや封筒、ＤＭ（ダイレクトメール）文書等での宛名が１枚毎に異なる場合、共通画像部(固定画像部)を大量印刷の場合にコスト的に有利な有版印刷（例えば孔版印刷）で行い、宛名等の可変画像部を、版を用いずにデータ制御だけで行う無版印刷（例えばインクジェット印刷）で行う方式となっている。
【０００３】
周知のように、孔版印刷装置では、その印刷する画像濃度を調整する、あるいは様々な印刷用紙に対応する（給紙、搬送性の確保）目的で、複数種類の印刷速度（用紙搬送速度）を選択できるようになっている。
このような孔版印刷装置に対してインクジェット印字装置を接続し、固定画像部を孔版印刷装置で印刷し、可変画像部をインクジェット印字装置で印刷する従来のハイブリッド印刷装置においては、その印刷速度を可変するのではなく、ある値に固定して印刷するような構成となっている。換言すれば装置全体がインクジェット印字装置の機能を基準にしたものとなっている。
また、従来のハイブリッド印刷装置では、画像変化要因となる環境条件（雰囲気温度、インク温度等）の検出をそれぞれ別々に検出し、孔版印刷装置では孔版印刷プロセスとして最適な画像となるように制御され、インクジェット印字装置ではインクジェットプロセスとして最適な画像となるように制御されている。
すなわち、方式の異なる２つの印刷構成を個別に制御し、用紙上の画像全体の品質をマッチングさせるようになっている。
また、インクジェット印字装置では、上記画像変化要因の他に紙種による画像変化が大きく、紙種情報を元に制御する手段を有しており、孔版印刷装置では、ユーザが意図的にインクの消費量を減らすことができる省インクモードがあり、これらの制御についても個別に行われている。
【０００４】
【特許文献１】特開２００３−３４１０５３号公報
【特許文献２】特開２００２−２５４６２５号公報
【特許文献３】特開２００４−４２５７６号公報
【特許文献４】特開２０００−２８０４６９号公報
【発明の開示】
【発明が解決しようとする課題】
【０００５】
従来のハイブリッド印刷装置ではインクジェット印字装置を基準にしているため、孔版印刷装置側での画像濃度の調整ができず、あるいは印刷用紙の対応種類が限定され、上述した孔版印刷装置の印刷速度可変機能を十分に活かすことができなかった。
また、一方の画像品質に合わせたマッチングを行ってはいるものの、個別の制御であるため、どうしても孔版印刷画像とインクジェット印刷画像にプロセスの違いから生じる画像差（濃度、滲み、解像度）が発生するのを避けられなかった。
それぞれ固有の設定条件を持っているために画像差が大きくなることがあった。
環境温度や紙種などの印刷条件をそれぞれ個別に検出、設定しているため、構成が複雑でコストが高いという問題があった。さらに、それぞれの設定に手間が掛かり熟練を要するという問題もあった。
【０００６】
本発明は、有版印刷（孔版印刷）の特性を十分に活かすことができるとともに、画像品質の向上を図れ、調整が容易で低コスト化も実現できる複合型画像形成装置の提供を、その主な目的とする。
【課題を解決するための手段】
【０００７】
上記目的を達成するために、本発明は、異なる印刷方式の一方に他方を合わせて固有プロセスの差ができるだけ出ないようにし、基準となる方を、印刷条件の変化に対する臨機応変の対応度が低い孔版印刷部とすることとした。
具体的には、請求項１記載の発明では、版を用いて印刷を行う有版印刷部と、版を用いずに印刷を行う無版印刷部とを備え、１枚の記録媒体に対して有版印刷画像と無版印刷画像を連続的に形成する複合型画像形成装置において、上記有版印刷部の印刷条件に応じて、上記無版印刷部の印刷条件を変更することを特徴とする。
【０００８】
請求項２記載の発明では、請求項１記載の複合型画像形成装置において、上記有版印刷部が少なくとも２種類以上の印刷速度を有し、上記有版印刷部の印刷速度に応じて、上記無版印刷部の書き込み速度を変更することを特徴とする。
【０００９】
請求項３記載の発明では、請求項２記載の複合型画像形成装置において、上記有版印刷部から上記無版印刷部へ印刷速度条件が送信され、受信した印刷速度条件に基づいて上記無版印刷部の書き込み条件を変更する制御手段を有し、該制御手段は、予め実験により得られた複数の印刷速度条件に応じた書き込み速度パラメータテーブルから、受信した印刷条件に対応した書き込み速度を選択して設定することを特徴とする。
【００１０】
請求項４記載の発明では、請求項１乃至３のうちの何れかに記載の複合型画像形成装置において、上記有版印刷部が孔版印刷方式の構成を有していることを特徴とする。
【００１１】
請求項５記載の発明では、請求項４記載の複合型画像形成装置において、上記無版印刷部がインクジェット印字方式の構成を有していることを特徴とする。
【００１２】
請求項６記載の発明では、請求項５記載の複合型画像形成装置において、上記無版印刷部のインク滴吐出速度が、上記有版印刷部で搬送される記録媒体の搬送速度以上であることを特徴とする。
【００１３】
請求項７記載の発明では、請求項５記載の複合型画像形成装置において、上記有版印刷部から送信される雰囲気温度情報に応じて、上記無版印刷部にて吐出するインクの液滴量を制御することを特徴とする。
【００１４】
請求項８記載の発明では、請求項５記載の複合型画像形成装置において、上記有版印刷部から送信されるインク温度情報に応じて、上記無版印刷部にて吐出するインクの液滴量を制御することを特徴とする。
【００１５】
請求項９記載の発明では、請求項５記載の複合型画像形成装置において、上記有版印刷部から送信される記録媒体の種類情報に応じて、上記無版印刷部にて吐出するインクの液滴量を制御することを特徴とする。
【００１６】
請求項１０記載の発明では、請求項５記載の複合型画像形成装置において、上記有版印刷部から送信される印刷モードに応じて、上記無版印刷部にて吐出するインクの液滴量を制御することを特徴とする。
【００１７】
請求項１１記載の発明では、請求項５記載の複合型画像形成装置において、上記有版印刷部から送信される濃度情報に応じて、上記無版印刷部にて吐出するインクの液滴量を制御することを特徴とする。
【００１８】
請求項１２記載の発明では、請求項５記載の複合型画像形成装置において、上記有版印刷部から排出される記録媒体上に形成された画像の濃度を検出する画像濃度検出手段を有し、該画像濃度検出手段からの濃度情報に応じて、上記無版印刷部にて吐出するインクの液滴量を制御することを特徴とする。
【００１９】
請求項１３記載の発明では、請求項５記載の複合型画像形成装置において、上記有版印刷部から排出される記録媒体上に形成された画像の滲み具合を検出する画像認識手段を有し、該画像認識手段からの検出情報に応じて、上記無版印刷部にて吐出するインクの液滴量を予め実験により得られた条件により選択的に設定することを特徴とする。
【００２０】
請求項１４記載の発明では、請求項５記載の複合型画像形成装置において、上記有版印刷部の解像度が上記無版印刷部の解像度よりも高い場合、上記無版印刷部の記録媒体の搬送方向の解像度が上記有版印刷部の解像度と略同一となるように上記無版印刷部の書き込み速度を速めることを特徴とする。
【００２１】
請求項１５記載の発明では、請求項４乃至１４のうちの何れかに記載の複合型画像形成装置において、上記無版印刷部が、印刷ドラムの位置を検出する手段を備え検出情報により特定の回転位置で印刷速度を変更する構成を有し、上記無版印刷部の書き込み速度を上記印刷ドラムの特定の回転位置で変更することを特徴とする。
【発明の効果】
【００２２】
請求項１記載の発明によれば、版を用いて印刷を行う有版印刷部と、版を用いずに印刷を行う無版印刷部とを備え、１枚の記録媒体に対して有版印刷画像と無版印刷画像を連続的に形成する複合型画像形成装置において、上記有版印刷部の印刷条件に応じて、上記無版印刷部の印刷条件を変更することとしたので、固定画像（共通画像）の印刷に有利な有版印刷部よりも臨機応変度の高い無版印刷部を有版印刷部の印刷条件に合わせることになり、有版印刷部の速度可変機能（画像濃度調整、用紙対応性確保）が損なわれない。
別個独立に制御せずに有版印刷部の条件に合わせる制御であるので、プロセスの相違からくる差異を抑制でき、画像品質の向上を図ることができる。
【００２３】
請求項２記載の発明によれば、請求項１記載の複合型画像形成装置において、上記有版印刷部が少なくとも２種類以上の印刷速度を有し、上記有版印刷部の印刷速度に応じて、上記無版印刷部の書き込み速度を変更することとしたので、有版印刷部の速度可変機能（画像濃度調整、用紙対応性確保）が損なわれない。
別個独立に制御せずに有版印刷部の条件に合わせる制御であるので、プロセスの相違からくる差異を抑制でき、画像品質の向上を図ることができる。
【００２４】
請求項３記載の発明によれば、請求項２記載の複合型画像形成装置において、上記有版印刷部から上記無版印刷部へ印刷速度条件が送信され、受信した印刷速度条件に基づいて上記無版印刷部の書き込み条件を変更する制御手段を有し、該制御手段は、予め実験により得られた複数の印刷速度条件に応じた書き込み速度パラメータテーブルから、受信した印刷条件に対応した書き込み速度を選択して設定することとしたので、有版印刷部の印刷条件に高精度に合わせることができ、プロセスの相違からくる差異を高精度に抑制でき、画像品質の向上を一層図ることができる。
【００２５】
請求項４記載の発明によれば、請求項１乃至３のうちの何れかに記載の複合型画像形成装置において、上記有版印刷部が孔版印刷方式の構成を有していることとしたので、技術的に確立された周知の構成を採用でき、信頼性が高く低コストの構成を実現できる。
【００２６】
請求項５記載の発明によれば、請求項４記載の複合型画像形成装置において、上記無版印刷部がインクジェット印字方式の構成を有していることとしたので、技術的に確立された周知の構成を採用でき、信頼性が高く低コストの構成を実現できる。
【００２７】
請求項６記載の発明によれば、請求項５記載の複合型画像形成装置において、上記無版印刷部のインク滴吐出速度が、上記有版印刷部で搬送される記録媒体の搬送速度以上であることとしたので、インクの着弾時の形状を維持することができ、有版印刷部の印刷速度に応じて画像濃度を高精度に合わせることができる。
【００２８】
請求項７記載の発明によれば、請求項５記載の複合型画像形成装置において、上記有版印刷部から送信される雰囲気温度情報に応じて、上記無版印刷部にて吐出するインクの液滴量を制御することとしたので、印刷条件検出の一元化により構成の簡素化、低コスト化を実現できるとともに、固有プロセス値を低減して信頼性を高めることができ、有版印刷部と無版印刷部の画像品質差を極力抑えることが可能となる。
【００２９】
請求項８記載の発明によれば、請求項５記載の複合型画像形成装置において、上記有版印刷部から送信されるインク温度情報に応じて、上記無版印刷部にて吐出するインクの液滴量を制御することとしたので、印刷条件検出の一元化により構成の簡素化、低コスト化を実現できるとともに、固有プロセス値を低減して信頼性を高めることができ、有版印刷部と無版印刷部の画像品質差を極力抑えることが可能となる。
【００３０】
請求項９記載の発明によれば、請求項５記載の複合型画像形成装置において、上記有版印刷部から送信される記録媒体の種類情報に応じて、上記無版印刷部にて吐出するインクの液滴量を制御することとしたので、印刷条件検出の一元化により構成の簡素化、低コスト化を実現できるとともに、固有プロセス値を低減して信頼性を高めることができ、有版印刷部と無版印刷部の画像品質差を極力抑えることが可能となる。
【００３１】
請求項１０記載の発明によれば、請求項５記載の複合型画像形成装置において、上記有版印刷部から送信される印刷モードに応じて、上記無版印刷部にて吐出するインクの液滴量を制御することとしたので、印刷条件検出の一元化により構成の簡素化、低コスト化を実現できるとともに、固有プロセス値を低減して信頼性を高めることができ、有版印刷部と無版印刷部の画像品質差を極力抑えることが可能となる。
【００３２】
請求項１１記載の発明によれば、請求項５記載の複合型画像形成装置において、上記有版印刷部から送信される濃度情報に応じて、上記無版印刷部にて吐出するインクの液滴量を制御することとしたので、印刷条件検出の一元化により構成の簡素化、低コスト化を実現できるとともに、固有プロセス値を低減して信頼性を高めることができ、有版印刷部と無版印刷部の画像品質差を極力抑えることが可能となる。
【００３３】
請求項１２記載の発明によれば、請求項５記載の複合型画像形成装置において、上記有版印刷部から排出される記録媒体上に形成された画像の濃度を検出する画像濃度検出手段を有し、該画像濃度検出手段からの濃度情報に応じて、上記無版印刷部にて吐出するインクの液滴量を制御することとしたので、印刷条件検出の一元化により構成の簡素化、低コスト化を実現できるとともに、固有プロセス値を低減して信頼性を高めることができ、有版印刷部と無版印刷部の画像品質差を極力抑えることが可能となる。実際の濃度を検出するので、画像品質差を高精度に抑えることが可能となる。
【００３４】
請求項１３記載の発明によれば、請求項５記載の複合型画像形成装置において、上記有版印刷部から排出される記録媒体上に形成された画像の滲み具合を検出する画像認識手段を有し、該画像認識手段からの検出情報に応じて、上記無版印刷部にて吐出するインクの液滴量を予め実験により得られた条件により選択的に設定することとしたので、印刷条件検出の一元化により構成の簡素化、低コスト化を実現できるとともに、固有プロセス値を低減して信頼性を高めることができ、有版印刷部と無版印刷部の画像品質差を極力抑えることが可能となる。実際の画像状態を検出するので、画像品質差を高精度に抑えることが可能となる。
【００３５】
請求項１４記載の発明によれば、請求項５記載の複合型画像形成装置において、上記有版印刷部の解像度が上記無版印刷部の解像度よりも高い場合、上記無版印刷部の記録媒体の搬送方向の解像度が上記有版印刷部の解像度と略同一となるように上記無版印刷部の書き込み速度を速めることとしたので、印刷条件検出の一元化により構成の簡素化、低コスト化を実現できるとともに、固有プロセス値を低減して信頼性を高めることができ、有版印刷部と無版印刷部の画像品質差を極力抑えることが可能となる。
【００３６】
請求項１５記載の発明によれば、請求項４乃至１４のうちの何れかに記載の複合型画像形成装置において、上記無版印刷部が、印刷ドラムの位置を検出する手段を備え検出情報により特定の回転位置で印刷速度を変更する構成を有し、上記無版印刷部の書き込み速度を上記印刷ドラムの特定の回転位置で変更することとしたので、有版印刷部の速度変化に対して完全に同期した無版印刷部側の印刷条件の変更が可能となり、例えば無版印刷部で印刷していないときに無版印刷部の書き込み速度の変更が可能となる。
【発明を実施するための最良の形態】
【００３７】
以下、本発明の第１の実施形態を図１乃至図６に基づいて説明する。
まず、図１に基づいて本実施形態における複合型画像形成装置の構成の概要を説明する。
複合型画像形成装置１は、記録媒体としての用紙２を給送する給紙部３と、給紙部３より給送された用紙２に対して孔版印刷を行う有版印刷部としての孔版印刷部４と、該孔版印刷部４の用紙搬送方向下流側に配置され、孔版印刷がなされた用紙２に対してさらにその一部にインクジェット印刷画像（無版印刷画像）を形成する無版印刷部としてのインクジェット印刷部５と、印刷済みの用紙２を機外に排出する排紙部６とを有している。
【００３８】
給紙部３は、多数の用紙２が積載される給紙トレイ１０と、給紙トレイ１０上の用紙２をその最上位のものから１枚ずつ給送する給紙ローラ１１と、給紙ローラ１１によって給送された用紙２を一時停止させた後に孔版印刷部４の印刷ニップに向けて所定のタイミングで給送するレジストローラ対１２とを有している。
孔版印刷部４の右上方には製版部７が配設されている。製版部７は、ロール状に巻成された版としてのマスタ１３を収容するマスタ収容部１４と、マスタ収容部１４よりもマスタ搬送方向下流側に配設されたサーマルヘッド１５及びプラテンローラ１６、マスタ１３を切断する切断手段１７、マスタ搬送ローラ対１８等を有している。製版部７はマスタ１３に穿孔製版画像を形成した後に孔版印刷部４に向けて搬送する。
【００３９】
孔版印刷部４は、製版部７において製版された製版済みマスタ１９を外周面上に巻装する版胴２０と、版胴２０の外周面に対して接離自在に設けられたプレスローラ２２と、用紙２を版胴２０の外周面上から剥離する剥離爪２３と、剥離された用紙２を吸引ファン２４でベルト面に吸引しつつ搬送するベルト搬送部２５とを有している。版胴２０の内部には、インキローラ２１及びドクターローラ８を有するインキ供給手段９が配設されている。
孔版印刷部４は、給紙部３より給送された用紙２をプレスローラ２２によって版胴２０の外周面上に巻装された製版済みマスタ１９に押圧することにより、インキ供給手段９から供給されたインキを用紙２に転写させて用紙２上に有版印刷画像としての孔版印刷画像を形成する。
【００４０】
版胴２０の左上方には、版胴２０の外周面上から使用済みの製版済みマスタ１９を剥離して廃棄する図示しない排版装置が配設されている。
また、孔版印刷部４には、用紙２に形成される孔版印刷画像の位置、すなわち版胴２０の外周面上に巻装された製版済みマスタ１９の製版画像に対する用紙２の位置を移動調整させる図示しない移動機構が設けられている。この図示しない移動機構は、例えば特開平９−１０４１５９号公報に開示された移動機構８０、２８０と同様のものを用いることができる。
【００４１】
インクジェット印刷部５は、用紙２の搬送経路上方に配置されたライン方式のインクジェット記録ヘッド２６と、インクジェット記録ヘッド２６の用紙搬送方向上流側及び下流側に配置された用紙搬送ローラ対２７、２９と、用紙２を搬送案内するガイド板３１と、用紙２の搬送方向先端を検出して用紙２に対するインクジェット印刷の開始基準を設定するための用紙検出センサ３２とを有している。
ここで、ライン方式とは、インク滴を吐出（噴射）する画像形成素子としてのノズルが用紙２の搬送方向と直交する方向（以下、「用紙幅方向」ともいう）に複数個直線状に又は千鳥状に配列された構成を指す。
【００４２】
各用紙搬送ローラ対２７、２９は、用紙２を所定のインクジェット印刷スピードで搬送する。搬送ローラ対２７とプレスローラ２２の印刷ニップ間の長さは用紙２の長さより大きく設定されており、孔版印刷部４での用紙２の保持がインクジェット印刷部５での印刷に影響を与えないようになっている。すなわち、孔版印刷部４を出た用紙２は、ベルト搬送部２５で一旦開放状態となり、搬送方向の前後端部を挟持されない状態となる。
各用紙搬送ローラ対２７、２９において、用紙搬送経路の上方に位置するローラは用紙２上に形成された孔版印刷画像に直接接触するため、未乾燥インキによる汚損防止のためにその周面に微細な凹凸を有するものを用いることが望ましい。具体的には、ローラ周面に微細なセラミック砥粒あるいは微細なガラスビーズを散りばめたフィルム等を貼り付けることが効果的である。
【００４３】
ライン方式のインクジェット記録ヘッド２６は、図２に示すように、移動機構３６によって用紙搬送方向と直交する用紙幅方向に移動自在に構成されている。
インクジェット記録ヘッド２６の上部には、フレーム７５に設けられた案内レール７０に案内されて図の左右方向である用紙幅方向に移動可能な保持部７１が一体的に設けられている。また、インクジェット記録ヘッド２６にはリードねじ７３が螺合しており、フレーム７５に設けられたステッピングモータ７２によってリードねじ７３が回転駆動されると、インクジェット記録ヘッド２６が用紙幅方向に移動される。
インクジェット記録ヘッド２６の位置は、案内レール７０に設けられインクジェット記録ヘッド２６の初期位置を検出するホームポジションセンサ７４とステッピングモータ７２のステップ数とによって検出される。同図において、符号７６は着脱可能なインク容器を、符号７７はインク送出用のポンプを、符号７８はインク搬送用のパイプをそれぞれ示しており、符号Ｈはインクジェット記録ヘッド２６の用紙幅方向における画像形成可能長さを示している。
【００４４】
上述した移動機構３６により、用紙２に形成される無版印刷画像であるインクジェット印刷画像の用紙幅方向における位置が調整移動される。また、用紙２に形成されるインクジェット印刷画像の用紙搬送方向における位置は、インクジェット記録ヘッド２６の作動タイミングによって調整移動される。
インクジェット記録ヘッド２６は、複合型画像形成装置１に接続されたパーソナルコンピュータ４５（図５参照）あるいは複合型画像形成装置１の内部に設けられた図示しない可変データ記憶部４８（図５参照）から送出される画像データに基づいて画像形成を行う。
【００４５】
図６に示すように、インクジェット記録ヘッド２６の用紙幅方向における画像形成可能長さはＨであり、孔版印刷部４の用紙幅方向における製版可能長さはＫである。通常、製版可能長さＫはＡ３サイズの印刷を可能とするために２９０ｍｍ前後に設定されている。しかし、画像形成可能長さＨをこれと同じとすると、インクジェット記録ヘッド２６が非常に高価なものとなってしまうと共に、画像形成の信頼性も低下してしまう。
そこで、本実施形態ではインクジェット記録ヘッド２６を安価且つ高信頼性なものとするため、その画像形成可能長さＨを６０〜１００ｍｍ程度としている。この複合型画像形成装置１において、インクジェット記録ヘッド２６により可変印刷を行いたい部分は宛名部分あるいは通し番号部分等の全画像領域における一部であるので、この程度の画像形成可能長さＨで十分に対応が可能である。なお、図６中における符号２８は用紙２に形成される孔版印刷画像を、符号３０は用紙２に形成されるインクジェット印刷画像をそれぞれ示している。
【００４６】
図１に示すように、インクジェット印刷部５の用紙搬送方向下流側には排紙部６が配設されている。排紙部６は、インクジェット印刷部５においてインクジェット印刷画像を形成された用紙２を吸引ファン３３でベルト面に吸引しつつ搬送するベルト搬送部３４と、ベルト搬送部３４によって搬送された印刷済みの用紙２を積載する排紙トレイ３５とを有している。
孔版印刷部４の上方には画像読取部４０が配設されている。画像読取部４０は、原稿４２上の画像を読み取る移動自在な走査ユニット４１、走査ユニット４１によって走査された画像データが入力されるＣＣＤ等の画像センサ４３等を有する周知の構成である。
図３は、複合型画像形成装置１の操作パネルを示している。同図において操作パネル５０は、複合型画像形成装置１の装置本体の上部前面に配設されている。
操作パネル５０には、製版スタートキー５１、プリントスタートキー５２、試し刷りキー５３、ストップキー５４、テンキー５５、クリアキー５６、７セグメントＬＥＤからなる表示装置５７、ＬＣＤからなる表示装置５８、４方向キー５９、画像位置調整キー６０、画像切替キー６１、連動移動キー６２、インクジェット合成キー６３等が設けられている。
【００４７】
表示装置５７には各種の数値が置数され、表示装置５８は階層構造となっていて各種情報を表示する。４方向キー５９は上キー５９ａ、下キー５９ｂ、左キー５９ｃ、右キー５９ｄを有しており、各種設定時に使用される。画像位置調整キー６０は、図示しない移動機構を作動させて孔版印刷画像の用紙２に対する位置を移動させる際に押下される。画像切替キー６１は、用紙２に対する位置を移動させる画像を選択する際に押下され、押下毎に移動される画像が孔版印刷画像とインクジェット印刷画像とに切り替えられる。画像切替キー６１の近傍には、移動される画像を示すＬＥＤ６１ａ、６１ｂが配設されている。
連動移動キー６２は、用紙２に対する位置を移動させる画像として孔版印刷画像とインクジェット印刷画像との双方を選択し、これらを同方向に同じ移動量だけ移動させる際に押下される。インクジェット合成キー６３は、孔版印刷画像が形成された用紙２に対してインクジェット印刷画像を形成する際に押下される。インクジェット合成キー６３の近傍には、合成ありの場合と合成なしの場合とを示すＬＥＤ６３ａ、６３ｂが配設されている。インクジェット合成なしの場合には、インクジェット記録ヘッド２６を不作動とさせた状態で用紙２が用紙搬送ローラ対２７から用紙搬送ローラ対２９に受け渡される。
【００４８】
図５は、複合型画像形成装置１の制御ブロック図を示している。孔版印刷部４はメイン制御部８０と画像処理装置３７を備えている。画像読取部４０で読み取られた共通画像データ（固定画像データ）は、共通画像データ処理装置３８で所定の画像処理が行われた後、画像形成部選択手段３９を経由してサーマルヘッド駆動制御装置４４に送られ、このデータに基づいてサーマルヘッド１５の各発熱素子が選択的に発熱してマスタ１３に対して穿孔製版を行う。または、予め必要な画像データが記録されている共通画像データ記憶部８１から送られた共通画像データが画像形成部選択手段３９を経由してサーマルヘッド駆動制御装置４４に送られ、このデータに基づいてサーマルヘッド１５の各発熱素子が選択的に発熱してマスタ１３に対して穿孔製版を行う。
【００４９】
一方、パーソナルコンピュータ４５から送出された可変画像データは、可変画像データ処理装置４６で所定の画像処理が行われた後、画像形成部選択手段３９、インクジェット印刷部５の画像データ処理装置８５を経由してインクジェットヘッド駆動制御装置４７に送られ、このデータに基づいてインクジェット記録ヘッド２６が選択的にインクを噴射して画像形成を行う。または、予め必要な画像データが記録されている可変データ記憶部４８から送られた可変画像データが画像形成部選択手段３９、インクジェット印刷部５の画像データ処理装置８５を経由してインクジェットヘッド駆動制御装置４７に送られ、このデータに基づいてインクジェット記録ヘッド２６が選択的にインクを噴射して画像形成を行う。搬送される用紙２に対するインクジェット記録ヘッド２６の位置決めは、記録ヘッド位置決め駆動制御装置４９によって制御される。
【００５０】
上述の構成に基づき、以下に複合型画像形成装置１を用いて用紙２上に孔版印刷画像とインクジェット印刷画像とを画像形成する際の動作を説明する。
オペレータは操作パネル５０上のインクジェット合成キー６３を押下してＬＥＤ６３ａを点灯させると共に、画像読取部４０に原稿４２をセットして製版スタートキー５１を押下する。
製版スタートキー５１が押下されると、走査ユニット４１が原稿４２の画像を走査してこのデータを画像センサ４３に送ると共に、図示しない排版装置が作動して版胴２０の外周面上より使用済みの製版済みマスタ１９が剥離される。排版動作完了後、版胴２０は所定の給版待機位置まで回転して停止し、その外周面上に設けられた図示しないクランパを開放して給版待機状態となる。
【００５１】
版胴２０が給版待機状態となると、プラテンローラ１６及びマスタ搬送ローラ対１８が作動してマスタ１３が送り出される。送り出されたマスタ１３はサーマルヘッド１５を通過する際に画像センサ４３に送られた画像データに基づいて穿孔製版される。製版され製版済みマスタ１９となったマスタ１３は版胴２０のクランパにその先端部を挟持された後、版胴２０がマスタ１３の搬送速度と同じ周速度で回転駆動されることにより版胴２０の外周面上に巻装される。
１版分のマスタ１３が搬送されると切断手段１７が作動してマスタ１３が切断され、巻装動作が完了する。
【００５２】
巻装動作完了後、オペレータによって試し刷りキー５３が押下されると、給紙ローラ１１が作動して給紙トレイ１０上より１枚の用紙２が給送される。給送された用紙２は、レジストローラ対１２によって一時停止された後、所定のタイミングで版胴２０とプレスローラ２２との間に向けて給送される。
レジストローラ対１２の作動後にプレスローラ２２がその周面を版胴２０の外周面上に巻装された製版済みマスタ１９に圧接させ、これにより用紙２に孔版印刷画像が転写される。孔版印刷画像を転写された用紙２は剥離爪２３によって版胴２０上の製版済みマスタ１９より剥離され、ベルト搬送部２５に送られてさらに下流へと搬送される。
ベルト搬送部２５によって送られた用紙２は用紙搬送ローラ対２７によってさらに搬送され、その先端が用紙検出センサ３２によって検出されると、パーソナルコンピュータ４５あるいは可変データ記録メモリ４８からデータが送出される。
送出されたデータに基づいてインクジェット記録ヘッド２６が作動し、用紙２にはインクジェット印刷画像が形成される。孔版印刷画像とインクジェット印刷画像とを形成された用紙２は用紙搬送ローラ対２９によって送られ、ベルト搬送部３４を介して排紙トレイ３５に排出される。
【００５３】
図４は、上述の試し刷りによって画像形成がなされた用紙２を示している。用紙２上には孔版印刷画像２８とインクジェット印刷画像３０とがそれぞれ形成されている。この試し刷りされた用紙２を確認して、それぞれの画像２８、３０の位置を移動させる場合を以下に説明する。
図４において、孔版印刷画像２８は矢印Ａで示す用紙搬送方向及び矢印Ｂで示す用紙幅方向に移動可能であり、インクジェット印刷画像３０は矢印ＡＡで示す用紙搬送方向及び矢印ＢＢで示す用紙幅方向に移動可能である。
オペレータは、各画像２８、３０の移動に先立ち、操作パネル５０上の画像位置調整キー６０を押下する。画像位置調整キー６０が押下されると、表示装置５８の表示が図３に示す状態となる。
【００５４】
次にオペレータは、位置調整を行いたい画像が孔版印刷画像２８であるかインクジェット印刷画像３０であるかを選択する。選択は画像切替キー６１を押下することにより行われる。画像切替キー６１は、１回押下される毎に位置調整を行う画像を孔版印刷画像２８あるいはインクジェット印刷画像３０に切り替え、この際に対応するＬＥＤ６１ａ、６１ｂを点灯させる。位置調整を行う画像が選択されると、次に４方向キー５９を押下して移動したい方向に画像の移動量を入力する。
表示装置５８には、図３に示すように孔版印刷画像２８の移動量とインクジェット印刷画像３０の移動量とが互いに隣接して表示され、さらに用紙搬送方向の移動量と用紙幅方向の移動量とが互いに隣接して表示される。オペレータはこの表示を見ながら各画像２８、３０の位置調整を行う。
【００５５】
例えば、孔版印刷画像２８を用紙搬送方向下流側に２．５ｍｍ移動させる場合には、画像切替キー６１を押下してＬＥＤ６１ａを点灯させ、次に左キー５９ｃを押下する。この例では４方向キー５９の押下１回毎に画像の移動量が０．５ｍｍずつ加算されるので、２．５ｍｍ移動させる場合には左キー５９ｃを５回押下することとなる。すると、表示装置５８の表示５８ａが「＋２．５」となり、これで指示が完了する。この例では孔版印刷画像２８を用紙幅方向には移動させておらず、表示装置５８の表示５８ｄは「０」のままである。
次に、インクジェット印刷画像３０を用紙搬送方向下流側に２．０ｍｍ移動させる場合には、画像切替キー６１を押下してＬＥＤ６１ｂを点灯させ、次に左キー５９ｃを４回押下して表示装置５８の表示５８ｂに「＋２．０」を表示させる。
さらに、インクジェット印刷画像３０を用紙幅方向手前側に１．５ｍｍ移動させる場合には、下キー５９ｂを３回押下して表示装置５８の表示５８ｃに「−１．５」を表示させる。
【００５６】
図５に示すように、孔版印刷部４のメイン制御部８０には、孔版印刷部４の印刷条件を送信する手段としての印刷速度出力手段８２が設けられている。印刷速度出力手段８２は、印刷速度の他に濃度、温度、紙種、印刷モード等の印刷条件も出力する。
これに対応して、インクジェット印刷部５のメイン制御部（制御手段）８３には、孔版印刷部４からの印刷条件を受信する手段としての印刷速度受信手段８４が設けられている。
印刷速度受信手段８４で受信した印刷情報は吐出条件変更手段８７に送られる。吐出条件変更手段８７は、吐出パラメータテーブルが記憶された吐出パラメータテーブル記憶手段８６にアクセスする。
吐出パラメータテーブル記憶手段８６には、予め実験により得られた複数の印刷速度条件に応じたインクジェット記録ヘッド２６の書き込み速度パラメータテーブルが記憶されており、吐出条件変更手段８７は入力された印刷速度条件に対応した書き込み速度を選択してインクジェットヘッド駆動制御装置４７へ出力する。
【００５７】
孔版印刷部４の印刷速度の変更に応じたインクジェット記録ヘッド２６における書き込み速度の変更は、画像形成素子としてのノズルの駆動周期を変更することにより行われる。
印刷速度が速くなると当然に用紙２の搬送速度も速くなるが、この場合、ノズルからのインク滴吐出速度が同じであると濃度、解像度が低下する虞がある。このため、本実施形態では、インクジェット記録ヘッド２６におけるインク滴吐出速度を、孔版印刷部４で搬送される用紙２の搬送速度以上に設定している。
インク滴吐出速度の変更はインクジェットヘッド駆動制御装置４７によりなされる。インク滴吐出速度の変更は、例えば圧電素子型の場合、特許文献２に開示されているように、時間を一定にして印加電圧を変えることによりなされる。
【００５８】
印刷速度出力手段８２により雰囲気温度情報が送信された場合には、インクジェット記録ヘッド２６におけるインクの液滴量が制御される（第２の実施形態）。吐出パラメータテーブル記憶手段８６には、予め実験により得られた雰囲気温度と液滴量とのテーブルが記憶されており、吐出条件変更手段８７は入力された雰囲気温度に対応した液滴量を選択してインクジェットヘッド駆動制御装置４７へ出力する。液滴量の制御は、インク滴吐出速度の変更と同様になされる。
印刷速度出力手段８２によりインク温度情報が送信された場合にも、インクジェット記録ヘッド２６におけるインクの液滴量が制御される（第３の実施形態）。吐出パラメータテーブル記憶手段８６には、予め実験により得られたインク温度と液滴量とのテーブルが記憶されており、吐出条件変更手段８７は入力されたインク温度に対応した液滴量を選択してインクジェットヘッド駆動制御装置４７へ出力する。
【００５９】
印刷速度出力手段８２により用紙２の種類情報が送信された場合にも、インクジェット記録ヘッド２６におけるインクの液滴量が制御される（第４の実施形態）。吐出パラメータテーブル記憶手段８６には、予め実験により得られた用紙の種類（紙種）と液滴量とのテーブルが記憶されており、吐出条件変更手段８７は入力された紙種に対応した液滴量を選択してインクジェットヘッド駆動制御装置４７へ出力する。
印刷速度出力手段８２により孔版印刷部４の印刷モード情報が送信された場合にも、インクジェット記録ヘッド２６におけるインクの液滴量が制御される（第５の実施形態）。吐出パラメータテーブル記憶手段８６には、予め実験により得られた印刷モードと液滴量とのテーブルが記憶されており、吐出条件変更手段８７は入力された印刷モードに対応した液滴量を選択してインクジェットヘッド駆動制御装置４７へ出力する。印刷モードとしては、例えばユーザが意図的にインクの消費量を減らすことができる省インクモードがあり、操作パネル５０により設定される。
【００６０】
印刷速度出力手段８２により孔版印刷部４の濃度（画像濃度）情報が送信された場合にも、インクジェット記録ヘッド２６におけるインクの液滴量が制御される（第６の実施形態）。吐出パラメータテーブル記憶手段８６には、予め実験により得られた画像濃度と液滴量とのテーブルが記憶されており、吐出条件変更手段８７は入力された画像濃度に対応した液滴量を選択してインクジェットヘッド駆動制御装置４７へ出力する。画像濃度は、操作パネル５０によりオペレータにより設定される。
【００６１】
次に、図７及び図８に基づいて第７の実施形態を説明する。なお、第１の実施形態と同一部分は同一符号で示し、特に必要がない限り既にした構成上及び機能上の説明は省略して要部のみ説明する。
本実施形態では、図７に示すように、ベルト搬送部２５の上部に、孔版印刷部４から排出された用紙２の上の画像濃度を検出する画像濃度検出手段としての反射型フォトセンサ８８が設けられている。反射型フォトセンサ８８からの検出情報に応じてインクジェット記録ヘッド２６におけるインクの液滴量が制御される。
図８に示すように、反射型フォトセンサ８８からの検出情報は吐出条件変更手段８７に入力される。
吐出パラメータテーブル記憶手段８６には、予め実験により得られた画像濃度と液滴量とのテーブルが記憶されており、吐出条件変更手段８７は入力された画像濃度に対応した液滴量を選択してインクジェットヘッド駆動制御装置４７へ出力する。
印刷速度が大きい場合には、試し刷りの時に反射型フォトセンサ８８の下方で用紙２を一旦停止させ、あるいは徐行させて検出するようにしてもよい。
【００６２】
孔版印刷部４から排出された用紙２の上の滲み具合を検出する画像認識手段を例えば上記反射型フォトセンサ８８と同じように設け、該画像認識手段からの検出情報に応じてインクジェット記録ヘッド２６におけるインクの液滴量を制御するようにしてもよい（第８の実施形態）。
画像認識手段としては、例えば撮像手段としての２次元ＣＣＤカメラで捉えた映像を画像処理し、滲みレベルを判定（決定）する構成のものを採用できる。画像認識手段からの滲みレベル情報は、吐出条件変更手段８７に入力される。
吐出パラメータテーブル記憶手段８６には、予め実験により得られた滲みレベルと液滴量とのテーブルが記憶されており、吐出条件変更手段８７は入力された滲みレベルに対応した液滴量を選択してインクジェットヘッド駆動制御装置４７へ出力する。
印刷速度が大きい場合には、試し刷りの時に画像認識手段の下方で用紙２を一旦停止させ、あるいは徐行させて検出するようにしてもよい。
【００６３】
孔版印刷部４の解像度（物理解像度）がインクジェット印刷部５の解像度よりも高い場合、インクジェット印刷部５の用紙搬送方向の解像度が孔版印刷部４の解像度と略同一となるように書き込み速度を速めるようにしてもよい（第９の実施形態）。
この場合、印刷速度出力手段８２から解像度情報が印刷速度受信手段８４へ送信される。吐出パラメータテーブル記憶手段８６には、予め実験により得られた解像度と書き込み速度とのテーブルが記憶されており、吐出条件変更手段８７は入力された解像度に対応した書き込み速度を選択してインクジェットヘッド駆動制御装置４７へ出力する。
【００６４】
次に、第１０の実施形態を説明する。
第１の実施形態では、オペレータにより選択・設定された印刷速度に応じて書き込み速度を変更する例を示したが、本実施形態では、孔版印刷部４の版胴（印刷ドラム）２０の位置を検出する図示しない手段が備えられ、その検出情報により特定の回転位置で印刷速度を変更する構成を有している。
印刷速度の変更がなされた版胴２０の特定の回転位置でインクジェット記録ヘッド２６の書き込み速度が同期して変更される。
上記手段からの検出情報は吐出条件変更手段８７へ出力され、インクジェットヘッド駆動制御装置４７へ送信される。インクジェットヘッド駆動制御装置４７へ直接出力するようにしてもよい。
【００６５】
複合型画像形成装置１は、孔版印刷部（孔版印刷装置）４にインクジェット印刷部（インクジェット印刷装置）５を付設して電気信号的に接続された１つのシステムとして構成してもよく、孔版印刷部４とインクジェット印刷部５が１つの筐体に備えられた一体型として構成してもよい。
【図面の簡単な説明】
【００６６】
【図１】本発明の第１の実施形態における複合型画像形成装置の概要正面図である。
【図２】インクジェット記録ヘッドの移動機構を示す概要側面図である。
【図３】操作パネルの概要平面図である。
【図４】孔版印刷画像とインクジェット印刷画像の位置関係を示す図である。
【図５】制御ブロック図である。
【図６】孔版印刷部における画像形成可能幅とインクジェット印刷部における画像形成可能幅との関係を示す図である。
【図７】第２の実施形態における複合型画像形成装置の要部正面図である。
【図８】第２の実施形態における制御ブロック図である。
【符号の説明】
【００６７】
２  記録媒体としての用紙
４  有版印刷部としての孔版印刷部
５  無版印刷部としてのインクジェット印刷部
８３  制御手段としてのインクジェット印刷部のメイン制御部
８８  画像濃度検出手段としての反射型フォトセンサ
【図１】
2006076021.tif 000003
【図２】
2006076021.tif 000004
【図３】
2006076021.tif 000005
【図４】
2006076021.tif 000006
【図５】
2006076021.tif 000007
【図６】
2006076021.tif 000008
【図７】
2006076021.tif 000009
【図８】
2006076021.tif 000010